(57)【要約】【課題】認証機能を備えた画像形成装置において、認証処理時の消費電力の削減を実現する。【解決手段】画像形成装置の制御部を、装置全体を制御する実行制御部１０と操作表示部（操作パネル）１８を制御する操作制御部２０とに分け、操作制御部２０に利用者を認証する認証処理機能を持たせる。そして、操作制御部２０は、省エネモードでも電力の供給を受けて、操作表示部１８からのキー入力に応じて利用者の認証を行えるようにする。【選択図】図１
2014058104.tif 000002
【特許請求の範囲】
【請求項１】
装置全体を制御する実行制御手段と操作表示部を制御する操作制御手段とを有する画像形成装置であって、
前記実行制御手段は、消費電力を少なくとも通常モードあるいは該通常モードより少ない低消費電力の省エネモードとする電力制御手段を有し、
前記操作制御手段は、利用者を認証する認証処理手段を有する、
ことを特徴とする画像形成装置。
【請求項２】
前記認証処理手段は、省エネモードでも電力の供給を受けて、利用者の認証を行うことを特徴とする請求項１に記載の画像形成装置。
【請求項３】
前記認証処理手段は、前記操作表示部のキー操作に応答して利用者の認証を行うことを特徴とする請求項１または２に記載の画像形成装置。
【請求項４】
前記電力制御手段は、省エネモード時、前記操作制御手段の認証処理手段で利用者の認証に成功した場合に、省エネモードから通常モードへ移行させることを特徴とする請求項１乃至３の何れか１項に記載の画像形成装置。
【発明の詳細な説明】
【技術分野】
【０００１】
本発明は、多機能型画像形成装置などの画像形成装置の省電力技術に関する。
【背景技術】
【０００２】
一般に多機能画像形成装置で代表される画像形成装置には、省電力効果を高めるために、通常モード、待機モード（余熱モードともいう）及び省エネモードなどの複数の消費電力モードが備えられている。通常モードは画像形成装置全体に電力を供給するモードである。待機モードは、画像形成装置の大部分に電力を供給するが、通常モード時よりも少ない電力を供給するモードである。省エネモードは、画像形成装置のごく一部のみに電力を供給するモードである。画像形成装置にはタイマがあり、不使用状態が所定時間継続すると、通常モードから待機モード、さらに待機モードから省エネモードに移行する。
【０００３】
一方、ネットワークに接続されて、不特定多数の利用者が利用する画像形成装置においては、個人情報の保護やセキュリティ等の観点から、個人情報の認証機能が備えられている。このような画像形成装置では、利用者のパソコンなどから送られてきた印刷ジョブは、画像形成装置に一旦保存される。その後、利用者が画像形成装置まで足を運び、操作表示部のキー操作等によりパスワード等の認証情報を入力すると、認証処理を実行し、利用者の照合とれた場合、保存してある印刷ジョブの印刷を実行して印刷物を出力する。
【０００４】
ところで、一般に認証機能を備えた画像形成装置では、パスワード等の認証情報の入力があると、その時点で通常モードに移行するようになっている。そのため、認証処理後でないと印刷するか否か決まらないにも関わらずプリンタ機能等に電力が供給されてしまい、消費電力が増加することとなる。
【０００５】
この対策として、従来から認証機能を備えた画像形成装置において、省エネモードで認証処理を行い、照合がとれたなら通常モードに移行するようにすることが知られている（例えば、特許文献１）。しかしながら、従来の認証機能を備えた画像形成装置においては、装置内での情報処理、各部の動作制御及び外部との情報授受等を司る主制御部が認証処理を行っているため、認証処理時、該主制御部のＣＰＵやメモリ（ＲＯＭ，ＲＡＭ等）などには電力を供給する必要があり、省電力効果には限界があった。
【発明の概要】
【発明が解決しようとする課題】
【０００６】
本発明の課題は、認証機能を備えた画像形成装置において、認証処理時の消費電力のさらなる削減を図ることにある。
【課題を解決するための手段】
【０００７】
本発明は、装置全体を制御する実行制御手段と操作表示部を制御する操作制御手段とを有する画像形成装置であって、前記実行制御手段は、消費電力を少なくとも通常モードあるいは該通常モードより少ない低消費電力の省エネモードとする電力制御手段を有し、前記操作制御手段は、利用者を認証する認証処理手段を有することを主要な特徴とする。
【発明の効果】
【０００８】
本発明の画像形成装置によれば、操作制御手段が、省エネモードで利用者の認証処理を行うことが可能であり、消費電力のさらなる削減が可能になる。
【図面の簡単な説明】
【０００９】
【図１】本発明の一実施形態に係る画像形成装置の全体構成図である。
【図２】本画像形成装置の実行制御部の詳細構成図である。
【図３】本画像形成装置の操作制御部の詳細構成図である。
【図４】実行制御部と操作制御部とのインタフェース部の詳細構成図である。
【図５】本画像形成装置の全体的処理フロー図である。
【図６】操作制御部の省エネ復帰時の処理フロー図である。
【発明を実施するための形態】
【００１０】
以下、本発明の実施の形態について図面を参照して説明する。
【００１１】
図１は、本発明の一実施形態に係る画像形成装置の全体構成図である。本画像形成装置は、装置内での必要な情報処理、各部の動作制御及びネットワークを介しての情報授受等を行う実行制御部（主制御部）１０、主電源スイッチ（ＳＷ）１１、ＳＷ１１を介し、外部電源（交流）の供給を受けて装置内部に電力（直流）を供給する電力供給ユニット（ＰＳＵ）１２、原稿を読取り画像データを出力するスキャナ部１３、画像データを入力して印刷実行するプロッタ部１４、実行制御部１０の制御下でＰＳＵ１２からの電力をスキャナ部１３へ供給／停止を行うＦＥＴなどの電力スイッチ（Ｆ１）１５、同様にＰＳＵ１２からの電力をプロッタ部１４へ供給／停止を行う電力スイッチ（Ｆ２）１６、画像データを表示する画像表示部としてのＬＣＤ１７、テンキー、その他の種々のキーを有する操作部（タッチパネル）と各種画面を表示する表示部（ＬＥＤ）とが一体に構成された操作表示部１８、音声情報を出力する音声出力部１９、操作表示部１８や音声出力部１９の制御、実行制御部１０と必要な情報の授受を行う操作制御部２０などからなる。なお、実行制御部１０は、ネットワークやＵＳＢを介してパソコン、その他の外部機器と接続されている。
【００１２】
図２は、一実施形態に係る実行制御部１０の詳細構成図である。実行制御部１０は、該実行制御部全体の制御、必要な処理等を行うメインＣＰＵとしてのＣＰＵ１０１、ＣＰＵ１０１を動作（起動動作）させるためのプログラム（以下、第１のプログラム）を記憶するＲＯＭ１０２、ＣＰＵ１０１で各種処理を実行するためのプログラム（以下、第２のプログラム）、画像データ、その他のデータ等を記憶するハードディスク（ＨＤＤ）１０３、ＨＤＤ１０３からの第２のプログラムやデータ等を記憶するＤＲＡＭ１０４、実行制御部全体にクロックを供給するクロック生成部１０５、実行制御部内の各部の電力を制御するボード電力制御部１０６、スキャナ部１３やプロッタ部１４や画像表示部（ＬＣＤ）１７等の電力を制御する外部電力制御部１０７、及び、各部とのインタフェースや電力供給制御管理を一括して行うためのＡＳＩＣ１１０などからなる。
【００１３】
ＡＳＩＣ１１０は、ＣＰＵ１０１とのインタフェースであるＣＰＵＩ／Ｆ１１１、ＲＯＭ１０２とのインタフェースであるＲＯＭＩ／Ｆ１１２、ＨＤＤ１０３とのインタフェースであるＨＤＤＩ／Ｆ１１３、ＤＲＡＭ１０４とのインタフェースであるＭＥＭＩ／Ｆ１１４、スキャナ部１３やプロッタ部１４とのインタフェースであるＰＣＩＩ／Ｆ１１５、画像表示部（ＬＣＤ）１７とのインタフェースであるＬＣＤＩ／Ｆ１１６、ネットワーク（ＮＷ）とのインタフェースであるＮＷＩ／Ｆ１１７、ＵＳＢとのインタフェースであるＵＳＢＩ／Ｆ１１８、操作制御部２０とのインタフェースである操作制御部Ｉ／Ｆ（ＯＰＵＩ／Ｆ）１１９、ボード電力制御部１０６と外部電力制御部１０７の制御、及びＡＳＩＣ１１０内部の電力供給を管理制御する電力管理制御ユニット（ＰＭＵ）１２０、及び、これら各部を接続する内部バス１２１などからなる。電力管理制御ユニット（ＰＭＵ）１２０、ボード電力制御部１０６及び外部電力制御部１０７が、装置の消費電力を通常モード、省エネモードなどにする電力制御手段を構成している。
【００１４】
ここで、ＡＳＩＣ１１０の内部は、ＯＰＵＩ／Ｆ１１９、ＭＥＭＩ／Ｆ１１４及びＰＭＵ１２０の電力が供給され続ける領域（Ｐower  on  Ａrea）と、それ以外のＰＭＵ１２０の制御によって電力の供給が停止可能な領域とに分けられる。Ｐower  on  Ａreaは、ＳＷ１１のオンの間、省エネモードでも電力が供給される。それ以外は、省エネモードでは電力の供給が停止される。ＣＰＵ１０１、ＲＯＭ１０２、ＨＤＤ１０３も、省エネモードで電力の供給が停止される。
【００１５】
図３は、操作制御部２０の詳細構成図である。操作制御部２０は、操作表示部１８や音声出力部１９の制御、該操作制御部２０での必要な処理、実行制御部１０と必要な情報の授受を制御する操作部ＣＰＵ２０１、操作部ＣＰＵ２０１で実行するためのプログラムやデータ等を記憶するＲＯＭ２０２、操作部ＣＰＵ２０１の作業用メモリとしてのＲＡＭ２０３、操作表示部１８のキー入力を受け付けるキー入力受付部２０４、操作表示部１８の表示画面の制御を行う表示制御部２０５、音声出力部１９に音声情報を出力する音声出力制御部２０６、実行制御部１０とのインタフェースである実行制御部Ｉ／Ｆ（ＭＣＵＩ／Ｆ）２０７などからなる。ここで、ＲＯＭ２０２には認証処理のためのプログラム及び認証情報が記憶され、操作部ＣＰＵ２０１において利用者の認識処理が実行できるようになっている。すなわち、操作部ＣＰＵ２０１及びＲＯＭ２０２が認証処理手段として機能する。これについては後述する。
【００１６】
図４は、実行制御部１０と操作制御部２０のインタフェース部の詳細構成図である。実行制御部１０の操作制御部Ｉ／Ｆ（ＯＰＵＩ／Ｆ）１１９はＩ２ＣＩ／Ｆ４０１とＧＩＯ４０２からなり、操作制御部２０の実行制御部Ｉ／Ｆ（ＭＣＵＩ／Ｆ）２０７も同様にＩ２ＣＩ／Ｆ４１１とＧＩＯ４１２からなる。Ｉ２ＣＩ／Ｆ４０１，４１１はＳＣＬ（シリアルクロック）線とＳＤＡ（シリアルデータ）線の２本の信号線で接続され、Ｉ２ＣＩ／Ｆ４０１がマスタ、Ｉ２ＣＩ／Ｆ４１１がスレーブとなって、Ｉ２Ｃプロトコルに準拠してコマンドやデータがシリアルに送受信される。ＧＩＯ２０２，２１２はＫＥＹＲＥＱ信号線とＳＥＣ信号線の制御線で接続されている。
【００１７】
以下、本実施形態に係る画像形成装置の動作について、図５の処理フローに従って説明する。
【００１８】
初めに、初期化（ステップ１００１）の動作について説明する。主電源スイッチ（ＳＷ）１１をオンにすると、画像形成装置に電源を供給し、オフにすると電源の供給を停止する。いま、ＳＷ１１がＯＮになると、まず、ＰＳＵ１２に電力が供給される。次に、ＰＳＵ１２から画像形成装置内部の実行制御部１０、操作制御部２０に電力が供給される。
【００１９】
操作制御部２０に電力が供給されると、操作制御部２０が初期化される。これにより、ＭＣＵＩ／Ｆ２０７が初期化し、ＧＩＯ４１２の出力信号であるＫＥＹＲＥＱ信号とＳＥＣ信号がインアクティブになる。また、操作制御部２０の初期化が行われると、操作部ＣＰＵ２０１はＲＯＭ２０３上にあるプログラムを実行可能になる。
【００２０】
一方、実行制御部１０に電力が供給されると、クロック生成部１０５、ＡＳＩＣ１１０などに電力が供給される。クロック生成部１０５に電力が供給されると、クロック生成部１０５はクロックを生成して、ＣＰＵ１０１、ＡＳＩＣ１１０にクロックを供給可能にする。ＡＳＩＣ１１０内のＯＰＵＩ／Ｆ１１９、ＭＥＭＩ／Ｆ１１４、ＰＭＵ１２０はＰower  Ｏn  Ａreaであり、ＰＳＵ１２から電力が供給されている限り、電力が供給され続ける。このＡＳＩＣ１１０内のＰower  Ｏn  ＡreaにあるＯＰＵＩ／Ｆ１１９、ＭＥＭＩ／Ｆ１１４、ＰＭＵ１２０と、ボード電力制御部１０６及び外部電力制御部１０７が初期化される。
【００２１】
ＡＳＩＣ１１０内のＰＭＵ１２０が初期化されると、ＰＭＵ１２０にてボード電力制御部１０６と外部電力制御部１０７が制御可能となる。ＰＭＵ１２０の制御で、外部電力制御部１０７は、Ｆ（１）１５、Ｆ（２）１６を制御してスキャナ部１３、プロッタ部１４に電源を供給し、さらにＬＣＤ１７にも電力を供給する。ボード電力制御部１０６では、ＣＰＵ１０１、ＲＯＭ１０２、ＨＤＤ１０３などに電力を供給する。ここで、ＣＰＵ１０１、およびＡＳＩＣ１１０内のＰower  Ｏn  Ａreaでない部分であるＰＣＩＩ／Ｆ１１５、ＬＣＤＩ／Ｆ１１６、ＮＷＩ／Ｆ１１７、ＵＳＢＩ／Ｆ１１８、ＨＤＤＩ／Ｆ１１３、ＲＯＭＩ／Ｆ１１２、ＣＰＵＩ／Ｆ１１１が初期化される。
【００２２】
このようにして、画像形成装置全体に電力が供給され、初期化が終了する。この画像形成装置全体に電力が供給されることを通常モードと呼ぶ。
【００２３】
ＣＰＵ１０１が初期化されると、ＣＰＵ１０１はＲＯＭ１０２にある第１のプログラムを起動する。この第１のプログラムにより、ＨＤＤ１０３上の第２のプログラムをＭＥＭＩ／Ｆ１１４経由でＤＲＡＭ１０４に転送する。その後、ＣＰＵ１０１はＤＲＡＭ１０４の第２のプログラムを起動して所望の処理を実行することが可能になる。第２のプログラムはＤＲＡＭ１０４上にあるため、高速に処理を実行することができる。
【００２４】
なお、ＤＡＲＭ１０４を使用するには、ＭＥＭＩ／Ｆ１１４経由でデータ転送を行う必要がある。ＭＥＭＩ／Ｆ１１４はＤＲＡＭ１０４の読み／書き制御モジュールであり、内部バス１２１からのデータの読み書き、ＰＭＵ１２０からの該ＤＡＲＭ１０４の２つの動作モードである通常モードとセルフ・リフレッシュモードを制御できる。第１のプログラムによってＭＥＭＩ／Ｆ１１４を通常モードの動作に設定しておけば、第２のプログラムをＤＲＡＭ１０４に書き込むことができる。
【００２５】
図５の処理フローに戻り、初期化後、画像形成装置は、操作表示部（操作パネル）１８からキー入力があるのを待つ（ステップ１００２）。
【００２６】
操作表示部１８上のいずれかのキーが押されたかどうかは、操作制御部２０のキー入力受付部２０４を介して操作部ＣＰＵ２０１で検知される。いずれかのキーが押された場合、操作部ＣＰＵ２０１は、ＭＣＵＩ／Ｆ２０７内のＧＩＯ４１２のＫＥＹＲＥＱ信号をアクティブにして、操作表示部１８からキー入力があることを実行制御部１０に伝える。実行制御部１０では、ＯＰＵＩ／Ｆ１１９のＧＩＯ４０２が、ＫＥＹＲＥＱ信号がアクティブになったことを検出すると、内部バス１２１を介してＣＰＵ１０１に操作制御部側にキー入力があることを伝える。
【００２７】
実行制御部１０のＣＰＵ１０１は、操作制御部側にキー入力があると判断すると、ＯＰＵＩ／Ｆ１１９のＩ２Ｃ４０１から、キー入力のデータを転送要求するコマンドを送出する。操作制御部２０は、ＭＣＵＩ／Ｆ２０７のＩ２ＣＩ／Ｆ４１１がＯＰＵＩ／Ｆ１１９のＩ２ＣＩ／Ｆ４０１からのコマンドを受信し、操作部ＣＰＵ２０１に送付する。操作部ＣＰＵ２０１は、操作表示部１８で押されたキーのデータをＭＣＵＩ／Ｆ２０７のＩ２ＣＩ／Ｆ４１１から送出する。実行制御部１０は、ＯＰＵＩ／Ｆ１１９のＩ２ＣＩ／Ｆ４０１がＭＣＵＩ／Ｆ２０７のＩ２ＣＩ／Ｆ４１１からのデータを受信し、内部バス１２１を介してＣＰＵ１０１に転送する。ＣＰＵ１０１は、転送されたキー入力のデータに応じてスキャナ部１３やブロック部１４、その他を制御して、所望の処理を実行する。
【００２８】
このようにして、操作表示部１８上のキーが押されると、この押されたキーに対応する処理が実施される（ステップ１００３）。
【００２９】
一方、操作表示部１８上のキーが押されないと、操作制御部２０のＭＣＵＩ／Ｆ２０７におけるＧＩＯ４１２のＫＥＹＲＥＱ信号はインアクティブのままである。実行制御部１０のＣＰＵ１０１は、ＯＰＵＩ／Ｆ１１９のＧＩＯ４０２、内部バス１２１経由で、ＭＣＵＩ／Ｆ２０７内のＧＩＯ４１２のＫＥＹＲＥＱ信号のアクティブ／インアクティブ状態を知ることができる。
【００３０】
実行制御部１０のＣＰＵ１０１は、ＫＥＹＲＥＱ信号がインアクティブであると、操作表示部１８からキー入力が無いと判断する。ＣＰＵ１０１は、操作表示部１８からのキー入力がないと、ソフトウェアタイマで時間を計測し、所定時間が経過する前に操作表示部１８からキー入力があるか否かチェックする（ステップ１００４）。そして、所定時間が経過しても操作表示部１８からのキー入力がない場合、ＣＰＵ１０１は、消費電力モードを通常モードから、消費電力の少ない省エネモードに移行する準備をする。
【００３１】
まず、ＣＰＵ１０１は、ＭＥＭＩ／Ｆ１１４にＤＲＡＭ１０４をセルフ・リフレッシュモードに移行させるコマンドを発行し、ＤＲＡＭ１０４をセルフ・リフレッシュモードにする（ステップ１００５）。ＤＲＡＭ１０４がセルフ・リフレッシュモードに移行したことで、該ＤＲＡＭ１０４の消費電力を大幅に削減することができる。
【００３２】
次に、ＣＰＵ１０１は、ＰＭＵ１２０に対して、ＤＲＡＭ１０４がセルフ・リフレッシュモードの低消費電力モードに移行したことを通知する。ＰＭＵ１２０は、ＣＰＵ１０１からＤＲＡＭ１０４が低消費電力モードに移行した通知を受けると、画像処理装置内の電源を部分的にオフにする（ステップ１００６）。
【００３３】
ＰＭＵ１２０は、ボード電力制御部１０６及び外部電力制御部１０７の制御、さらにはＡＳＩＣ１１０内の電力供給の制御を司っている。外部電力制御部１０７は、ＰＭＵ１２０の制御でＦ（１）１５，Ｆ（２）１６をオフして、ＰＳＵ１２からのスキャナ部１３とプロッタ部１４への電力の供給を停止する。また、ＬＣＤ１７への電力の供給も停止する。ボード電力制御部１０６は、ＰＭＵ１２の制御で、ＣＰＵ１０１、ＲＯＭ１０２、ＨＤＤ１０３の電力の供給を停止する。さらに、ＰＭＵ１２０により、ＡＳＩＣ１１０内のＰower  Ｏn  Ａrea以外の各部の電力の供給が停止する。
【００３４】
このようにして、画像形成装置の消費電力は省エネモードになる。省エネモード中、操作制御部２０には電力が供給されるが、実行制御部１０よりも操作制御部２０の消費電力は極めて少ないため、操作部ＣＰＵ２０１等が動作していても、画像形成装置全体の消費電力を少なくすることができる。
【００３５】
省エネモードにおいて、操作表示部１８からキー入力があると、省エネ復帰処理が実行される（ステップ１００７）。図６に、省エネモードでの操作制御部２０の省エネ復帰フローを示す。
【００３６】
操作制御部２０の操作部ＣＰＵ２０１は、操作表示部１８のいずれかのキーが押されるのを持つ（ステップ２００１）。そして、操作部ＣＰＵ２０１は、操作表示部１８のいずれかのキーが押されたことをキー入力受付部２０４から受け取ると、ＲＯＭ２０２内の認証プログラムを実行する。
【００３７】
操作部ＣＰＵ２０１は、まず、利用者に暗証番号（認証情報）の入力を案内する（ステップ２００２）。例えば、「４桁の暗証番号を入力後、＃キーを押してください」と、音声出力制御部２０６を介して音声出力部１９から出力することで、暗証番号の入力方法を利用者に伝えることができる。
【００３８】
次に、操作部ＣＰＵ２０１は、暗証番号が正しく入力されたか確認する（ステップ２０３）。暗証番号が正しく入力されたかどうかは、「＃」キーが入力されたかどうかで確認できる。４桁以外の暗証番号が入力されたり、４桁の暗証番号の次に「＃」キー以外のキーが押された場合等、間違った入力形式で暗証番号が入力された場合は、再度、暗証番号の入力を利用者に案内する。例えば、「暗証番号の入力方法に間違いがあります。暗証番号を再度入力して下さい」と、音声出力制御部２０６を介して音声出力部１９から利用者に案内する。
【００３９】
暗証番号が正しい形式で入力されたら、操作部ＣＰＵ２０１は、利用者が登録ユーザかどうかの確認をする（ステップ２００４）。操作制御部２０のＲＯＭ２０２には、ユーザの暗証番号（認証情報）が記憶されている。操作部ＣＰＵ２０１は、ＲＯＭ２０２に記憶されている暗証番号と入力された暗証番号とを比較して、利用者が登録ユーザかどうかを判定する。
【００４０】
利用者が登録ユーザの場合には、操作部ＣＰＵ２０１は、ＭＣＵＩ／Ｆ２０７内のＧＩＯ４１２のＫＥＹＲＥＱ信号をアクティブにし（ステップ２００５）、さらにＳＥＣ信号をアクティブにする（ステップ２００６）。
【００４１】
一方、利用者が登録ユーザでない場合には、操作部ＣＰＵ２０１は、利用者に警告を発する（ステップ２００７）。例えば、「入力した暗証番号は登録されていません」と、音声出力制御部２０６を介して音声出力部１９から利用者に警告する。そして、操作部ＣＰＵ２０１は、ＭＣＵＩ／Ｆ２０７内のＧＩＯ４１２のＫＥＹＲＥＱ信号、ＳＥＣ信号をインアクティブにする（ステップ２００８，２００９）。
【００４２】
このようにして、操作制御部２０の省エネ復帰処理が終了する。省エネ復帰処理の実行中は省エネモードのままであり、利用者の認証処理を実行することで、消費電力は通常モードより低電力ですむ。
【００４３】
再び、図５の処理フローに戻る。実行制御部１０のＯＰＵＩ／Ｆ１１９内のＧＩＯ４０２は、操作制御部２０のＭＣＵＩ／Ｆ２０７内のＧＩＯ４１２のＳＥＣ信号がアクティブかどうか検知する（ステップ１００８）。省エネモード中も、実行制御部１０のＯＰＵＩ／Ｆ１１９には電力が供給されているため、ＯＰＵＩ／Ｆ１１９内のＧＩＯ４０２は、ＳＥＣ信号の状態を検知することができる。ＯＰＵＩ／Ｆ１１９内のＧＩＯ４０２でＳＥＣ信号がアクティブになったことを検知すると、該ＧＩＯ４０２は、ＰＭＵ１２０に省エネ復帰要因があったことを通知する（ステップ１００９）。ＳＥＣ信号がインアクティブの場合には、省エネ復帰フローに戻る。
【００４４】
ＰＭＵ１２０は省エネモード中に省エネ復帰要因があると、画像処理装置内で電力の供給を停止していた箇所に電力を供給する制御を行う（ステップ１０１０）。
【００４５】
ＰＭＵ１２０は外部電力制御部１０７を介して、Ｆ（１）１５，Ｆ（２）１６をオンし、スキャナ部１３とプロッタ部１４の電源をオンする。またＬＣＤ１７への電源もオンにする。また、ボード電源制御部１０６を介して、ＨＤＤ１０３、ＲＯＭ１０２、ＣＰＵ１０１の電源の供給を再開する。さらに、ＰＭＵ１２０はＡＳＩＣ１１０内のＰower  Ｏn  Ａreaでない部分の電源供給を再開する。
【００４６】
そして、ＰＭＵ１２０はＭＥＭＩ／Ｆ１１４にＤＲＡＭ１０４のセルフ・リフレッシュモードを解除して、通常モードに移行させる通知をする。ＭＥＭＩ／Ｆは、ＰＭＵ１２０からの通知で、ＤＲＡＭ１０４のセルフ・リフレッシュモードを解除して、通常モードに移行させる。
【００４７】
ＯＰＵＩ／Ｆ１１９のＧＩＯ４０２は、ＫＥＹＲＥＱ信号がアクティブになったことを、内部バス１２１を介して、ＣＰＵ１０１に通知する。その後の処理は図５のフローの通常モードの動作と同じ動作であるため、説明は省略する。
【００４８】
なお、先の図５の処理フローの説明では省略したが、通常モードにおいても、操作表示部１８のいずれかのキーが押された場合、操作部ＣＰＵ２０１が認証処理を実行するようにすればよい。また、認証処理は、操作表示部１８のログインキーが押された場合に実施するようにしてもよい。
【００４９】
図５の処理フローではキー入力を前提としたが、ネットワーク、ＵＳＢからの通信がある場合にも、実行制御部１０の制御で必要な処理を行うことができる。
【００５０】
例えば、ＡＳＩＣ１１０内のＮＷＩ／Ｆ１１７がネットワークからデータを受信すると、ＮＷＩ／Ｆ１１７は内部バス１２１経由で受信データをＣＰＵ１０１に転送する。受信データが印刷命令の場合、ＣＰＵ１０１は、ＤＲＡＭ１０４上に画像データを作成する。作成した画像データは、プロッタ部１４がジャムなどのエラー時に再印刷するために、ＨＤＤ１０３に記憶しておく。その後、ＰＣＩＩ／Ｆ１１５を経由して、プロッタ部１４から画像を出力する。この時、必要ならば、ＣＰＵ１０１は、操作制御部２０側からの認証結果を待つようにする。プロッタ部１４で紙なし状態等のエラー状態になった場合は、ＣＰＵ１０１は、ＨＤＤ１０３にある画像データから再印刷を行うようにする。また、ネットワークからスキャナ部１３の画像読み取り命令を受信した場合、ＣＰＵ１０１は、スキャナ部１３で読み取った画像データをＰＣＩＩ／Ｆ１１５を経由してＤＲＡＭ１０４に記憶しつつ、ＨＤＤ１０３にも記憶しておく。ＣＰＵ１０１は、ＤＲＡＭ１０４に記憶された画像データをネットワークを経由して、ネットワーク上のパソコンなどへ送信する。また、画像データが正常に送信されなかった場合、ＣＰＵ１０１は、再度画像データをスキャナ部１０３で読み取ることなく、ＨＤＤ１０３に記憶してある画像データを送信する。
【符号の説明】
【００５１】
１０  実行制御部
１２  電力供給ユニット（ＰＳＵ）
１３  スキャナ部
１４  プロッタ部
１８  操作表示部
２０  操作制御部
１０１  主ＣＰＵ
１０２  ＲＯＭ
１０６  ボード電力制御部
１０７  外部電力制御部
１１９  操作制御部Ｉ／Ｆ（ＯＰＵＩ／Ｆ）
１２０  電力供給管理制御ユニット（ＰＭＵ）
２０１  操作部ＣＰＵ
２０２  ＲＯＭ
２０３  ＲＡＭ
２０４  キー入力受付部
２０５  表示制御部
２０７  実行制御部Ｉ／Ｆ（ＭＣＵＩ／Ｆ）
【先行技術文献】
【特許文献】
【００５２】
【特許文献１】特開２００６−１８１８８２号公報
【図１】
2014058104.tif 000003
【図２】
2014058104.tif 000004
【図３】
2014058104.tif 000005
【図４】
2014058104.tif 000006
【図５】
2014058104.tif 000007
【図６】
2014058104.tif 000008